(57)【要約】【課題】ユーザが健康検査を望むときに、最寄の場所で検査キットを容易に入手でき、匿名で検査の申込み手続きができ、かつ、検査結果を時間と場所に制約なく取得できる。【解決手段】この発明は、検査キットが収納された検査キット缶９を販売する自動販売機１と、この自動販売機１で購入した検査キットでユーザが採取した血液、尿、大便などを郵送で受け取り、その各検査を行う検査センター２と、自動販売機１で購入した検査キットに付された申し込み登録用の個別の取引番号を受信して登録するとともに、検査センター２の検査結果を配信する運営サーバ３ａと、を備えている。運営サーバ３ａは、取引番号を受信の際にユーザ識別情報を受信するようにし、その受信したユーザ識別情報毎に検査結果をファイル化するようになっている。【選択図】  図１
2008090466.tif 000002
【特許請求の範囲】
【請求項１】
検査キットが収納された検査キット缶を販売する自動販売機と、
この自動販売機で購入した検査キットを使用してユーザが採取した血液を郵送で少なくとも受け取り、ユーザが申し込んだ検査項目の検査を行う検査センターと、
この自動販売機で購入した検査キット缶に付されている申し込み登録用の個別の取引番号を受信して登録するとともに、前記検査センターの検査結果を配信する運営サーバと、を備え、
少なくとも前記運営サーバはネットワークに接続され、
かつ、前記運営サーバは、前記取引符号を受信の際にユーザ識別情報を受信するようにし、その受信したユーザ識別情報に関連付けて前記検査結果を登録するようになっていることを特徴とする健康検査システム。
【請求項２】
前記自動販売機は、前記検査キット缶の他に飲料用缶を併せて販売するようになっており、
前記検査キット缶は、外形が前記飲料用缶と類似であるとともに、販売時の重量が飲料用缶の販売時の重量とほぼ同一であることを特徴とする請求項１に記載の健康検査システム。
【請求項３】
前記運営サーバと前記ネットワークを介して双方向通信が可能な端末装置を、さらに備え、
前記運営サーバは、前記端末装置から前記取引番号を受信して登録した時点で、前記端末装置に対して閲覧用パスワードおよび料金領収データを送信するようにしたことを特徴とする請求項１または請求項２に記載の健康検査システム。
【請求項４】
前記端末装置は、取得した閲覧用パスワードとユーザ識別情報を使用して前記運営サーバから検査結果を受信するようになっていることを特徴とする請求項３に記載の健康検査システム。
【請求項５】
前記ユーザ識別情報は、ユーザのメールアドレスおよびユーザのニックネームのうちの何れかであることを特徴とする請求項１乃至請求項４のうちの何れかに記載の健康検査システム。
【請求項６】
前記端末装置は携帯電話であることを特徴とする請求項３、請求項４、または請求項５に記載の健康検査システム。
【発明の詳細な説明】
【技術分野】
【０００１】
本発明は、血液などを検査する検査キットを自動販売機で購入し、この購入した検査キットを用いて血液などをユーザが採取し、この採取した血液を検査センターに郵送すれば、その後に検査結果をネットワークを利用して取得できるようにした健康検査システムに関するものである。
【背景技術】
【０００２】
従来の健康度チェックは、一般に医療機関に出かけて行なう「健康診断」「検診」や「血液、尿検査」などである。
しかし、病気でもなく、自分の現在の健康度を簡単に知りたい受検者にとっては、いちいち医療機関まで出向いたり、待ち時間を費やしたり、また高い料金を払う必要があるなど、これら大きな負担がある。
【０００３】
このため、検査から遠ざかるようになり、予防的なチェックができずに本当の病気になってしまうことも多く、個人や家族のリスクやまた国家的な医療コストの増大につながっていた。このように、従来の健康度チェックでは、制度の使い勝手上とコスト上の課題を持っていた。
また、事業所によっては、集団検診ができるようなレントゲン装置を積んだ検診用車両すなわち「集団検診車」を用意することもあるが、年間でも１〜２回の回数が多く、受診者が好きな時に受診できなくて不便であるのが実態であった。
【０００４】
ところで、本人識別情報と関連付けた健康診断結果を迅速に集計できる、健康診断システムや検査方法に関する発明が知られている（例えば、特許文献１参照）。しかし、この発明では、車両設備一式が相当に高額になるので、公共的な場所に定常的に設置できるようなものではなく、利用者が予防的にマイペースで使用できる健康チェックの装置には採用が難しい。
【０００５】
また、最近の事例では、「コンビニ検診」というサービスがネット上で始まっている。このサービスは、各種の検診をネットで申込み、コンビニで料金を支払えば検診キットが自宅に郵送され、このキットのテストピースに血液、尿、また便などを採取し、検診ビジネス運営企業の検査センターに返送する。すると、２週間くらいで結果が送られてくる仕組みである。
【０００６】
この場合、検査そのものは精度も高く信頼性もかなり高いが、このような知られたくない検査を受けていることや検査内容が家族や勤務先などに知られるおそれがある。これが無用な心配をかけることになり、プライバシー保護には対応できないという課題があった。また、単身世帯の増加などで留守宅の場合には、検査キットの受取りや郵送物の検査結果の受取りができない場合が多いというような問題もあった。
【０００７】
このような背景の下では、利用者が健康検査を望むときに、最寄の場所で検査キットを容易に入手でき、匿名で検査の申込み手続きができ、かつ、検査結果を時間と場所に制約されることなく取得できるようにした新規なシステムの出現が望まれる。
【特許文献１】特開２００４−２３７０８４号公報
【発明の開示】
【発明が解決しようとする課題】
【０００８】
そこで、本発明の目的は、上記の点に鑑み、利用者が健康検査を望むときに、最寄の場所で検査キットを容易に入手でき、匿名で検査の申込み手続きができ、かつ、検査結果を時間と場所に制約されることなく取得できる健康検査システムを提供することにある。
【課題を解決するための手段】
【０００９】
上記の課題を解決し本発明の目的を達成するために、各発明は以下のように構成するようにした。
すなわち、請求項１に係る発明は、検査キットが収納された検査キット缶を販売する自動販売機と、この自動販売機で購入した検査キットを使用してユーザが採取した血液を郵送で少なくとも受け取り、ユーザが申し込んだ検査項目の検査を行う検査センターと、この自動販売機で購入した検査キット缶に付されている申し込み登録用の個別の取引番号を受信して登録するとともに、前記検査センターの検査結果を配信する運営サーバと、を備え、少なくとも前記運営サーバはネットワークに接続され、かつ、前記運営サーバは、前記取引符号を受信の際にユーザ識別情報を受信するようにし、その受信したユーザ識別情報に関連付けて前記検査結果を登録するようになっている。
【００１０】
請求項２に係る発明は、請求項１に記載の健康検査システムにおいて、前記自動販売機は、前記検査キット缶の他に飲料用缶を併せて販売するようになっており、前記検査キット缶は、外形が前記飲料用缶と類似であるとともに、販売時の重量が飲料用缶の販売時の重量とほぼ同一である。
請求項３に係る発明は、請求項１または請求項２に記載の健康検査システムにおいて、前記運営サーバと前記ネットワークを介して双方向通信が可能な端末装置を、さらに備え、前記運営サーバは、前記端末装置から前記取引番号を受信して登録した時点で、前記端末装置に対して閲覧用パスワードおよび料金領収データを送信するようにした。
【００１１】
請求項４に係る発明は、請求項３に記載の健康検査システムにおいて、前記端末装置は、取得した閲覧用パスワードとユーザ識別情報を使用して前記運営サーバから検査結果を受信するようになっている。
請求項５に係る発明は、請求項１乃至請求項４のうちの何れかに記載の健康検査システムにおいて、前記ユーザ識別情報は、ユーザのメールアドレスおよびユーザのニックネームのうちの何れかである。
請求項６係る発明は、請求項３、請求項４、または請求項５に記載の健康検査システムにおいて、前記端末装置は携帯電話である。
【発明の効果】
【００１２】
このような構成からなる本発明によれば、自動販売機を適当な公共的な場所に設置しておけば、誰もがいつでも簡単に自分の手で、自分の健康検査に使用する検査キットを入手できる。
また、本発明によれば、入手した検査キットに対応する検査の申し込みを自己の携帯電話などを使用して行えるので、医療機関で検診などを受ける前に他人に知られたくない予備的検診が行なえる。
さらに、本発明によれば、利用者のメールアドレスやニックネームなどの識別情報を用いて、検査データと関連付けがされるので、利用者のプライバシーが保護できる。
また、本発明によれば、検査データを携帯電話などを使用して閲覧できるので、その検査データを時間と場所に制約されることなく取得できる。
【発明を実施するための最良の形態】
【００１３】
以下、本発明の健康検査システムの実施形態について図面を参照して説明する。
図１は、本発明の健康検査システムの実施形態の全体の構成を示す図である。
（健康検査システムの構成）
この健康検査システムは、例えば健康診断会社などが主体となって運営されるものであり、図１に示すように、検査キット缶自動販売機１と、検査センター２の検査サーバ２ａと、データセンター３の運営サーバ３ａと、検査キット缶自動販売機１の管理サーバ４と、パーソナルコンピュータなどの端末装置５と、無線基地局６とを含み、これらがネットワーク７にそれぞれ接続されている。
【００１４】
ここで、検査センター２およびデータセンター３は例えば健康診断会社が所有し、検査サーバ２ａや運営サーバ３ａも健康診断会社が所有するものとする。
検査キット缶自動販売機１は、公共的な場所に設置され、ユーザ８が健康検査（健康診断）が必要であると感じたときにその健康検査に必要な検査キット缶９を購入するためのものであり、ネットワーク７を介して管理サーバ４などと双方向の通信ができるようになっている。
【００１５】
検査センター２は、検査キット缶９を購入した検査キットを使用してユーザ８が採取した血液、尿、大便などの各サンプルを郵送で受け取り、そのユーザが申し込んだ検査項目の各検査を行う。そして、その検査結果は、検査サーバ２ａのデータベース２ｂに登録されるようになっている。
運営サーバ３ａは、ユーザ８が購入した検査キット缶９に付されている申し込み登録用の個別の取引番号、およびユーザを識別するためのユーザ識別情報（メールアドレスまたはニックネームなど）が携帯電話１１などから送信されてくると、それを受信してデータベース２ｂに登録するようになっている。
【００１６】
また、運営サーバ３ａは、検査があったときに検査センター２から検査データを取得し、この取得した検査データをユーザ識別情報に関連付けてデータベース２ｂに登録しておき、この登録してある検査データをユーザ８からの閲覧要求に応じて配信できるようになっている。
管理サーバ４は、検査キット缶自動販売機１を管理するためのサーバであり、ネットワーク７を介して検査キット缶自動販売機１と双方向の通信ができるようになっている。この管理サーバ４は、例えば検査キット缶メーカ１２が所有している。
【００１７】
端末装置５は、ユーザ８の自宅１０などに設置されるものであり、ユーザ８が必要に応じて、ネットワーク７を介して運営サーバ３ａと双方向通信できるようになっている。
無線基地局６は、ユーザ８の所有する携帯電話１１と無線通信を行うものである。従って、携帯電話１１は、無線基地局６を経由し、ネットワーク７上の運営サーバ３ａと双方向通信を行うことができるようになっている。
検査キット缶９は、その内部に購入したユーザが健康診断のために使用する検査キットが収納されている。検査キットは、血液、尿、大便などを採取する用具と、その採取したサンプルを収納する容器などからなる。
【００１８】
（健康検査システムの運営例の概要）
次に、このような構成からなる健康検査システムの運営例の概要について、図１を参照して説明する。
ユーザ８は、検査キット缶自動販売機１で検査キット缶９を購入すると、その検査キット缶９などに取引番号や運営者のメールアドレスが付されている。そこで、ユーザ８は、携帯電話１１などの端末を使用してデータセンター３に健康検査の申し込みを行うが、この申し込みは、データセンター３の運営サーバ３ａにその取引番号を送信することにより行う。このときには、ユーザ８はユーザ識別情報として、メールアドレスも送信する。その送信された取引番号とメールアドレスは、データセンター３のデータベース３ｂに登録される。
【００１９】
それが登録された時点で、運用サーバ３ａは、ユーザ８の携帯電話１１に対して、閲覧用パスワードおよび料金領収データを送信する。これにより、ユーザ８は閲覧用パスワードおよび料金領収データを取得する。
その後、ユーザ８は、検査キット缶９の内容物である検査キットを使用して血液、尿、大便など採取し、その採取した各サンプルを所定の容器に入れて、その各容器を郵便物１３にして検査センター２に郵送する。
【００２０】
その郵便物１３を受け取った検査センター２は、その郵便物１３を開封して各容器からサンプルをそれぞれ取り出し、その各検査を行い検査データを取得する。この取得した検査データは、検査サーバ２ａのデータベース２ｂに登録する。
また、その検査データは、運営サーバ３ａのデータベース３ｂに登録する。この登録の際には、運営サーバ３ａは、すでに受信済みであるユーザのメールアドレスを用いてその検査データをファイル化し、そのファイルをデータベース３ｂに登録する。
【００２１】
その後、ユーザ８は、端末装置５または携帯電話１１を利用することにより、データセンター３から検査データを取得する。この場合には、端末装置５または携帯電話１１を用いて運営サーバ３ａに接続し、メールアドレスおよび取得済みの閲覧用パスワードを使用することにより、ユーザ８はデータベース３ｂに登録される自己の健康検査の結果を示す検査データを閲覧する。
【００２２】
（検査キット缶自動販売機の外観構成）
図２は、図１に示す検査キット缶自動販売機１の外観構成を示す斜視図である。
この検査キット缶自動販売機１は、検査キット缶９の他に従来からの飲料水が充填された飲料水缶を併せて販売するようになっている。
換言すると、この検査キット缶自動販売機１は、従来の飲料用自動販売機の自動販売機能を活用し、従来の飲料用缶の他に、その缶と外観構成および重量が類似の検査キット缶９を併せて販売できるようにしたものである。そして、この検査キット缶自動販売機１の各構成要素は、筐体２１内に収納されている。
【００２３】
筐体２１のフロント側の上部側には、販売するための飲用水缶および検査キット缶９を陳列するための陳列部２２が設けられ、その陳列部２２の一部に例えば３種類の検査キット缶９が陳列され、その各缶ごとに設けられた操作ボタンをユーザが操作することにより、任意の検査キット缶９などを購入できるようになっている。
また、筐体２１のフロント側の中央部の右寄りの位置には、紙幣投入口２３、コイン投入口２４、返却レバー２５、釣り銭取り出し口２６などが設けられている。さらに、筐体２１のフロント側の下部には、缶を取り出すための缶取り出し口２７が開口されている。また、筐体２１の背面側には、通信ケーブル２８および電源コンセント２９が設けられている。
【００２４】
（検査キット缶自動販売機の構成）
図３は、図１に示す検査キット缶自動販売機１の構成例を示すブロック図である。
この検査キット缶自動販売機１は、図３に示すように、制御部３１と、缶繰り出し部３２と、陳列用照明部３３と、コイン処理部３４と、紙幣処理部３５と、操作部３６と、冷却コンプレッサ３７とを少なくとも含んでいる。
制御部３１は、ＣＰＵやメモリなどから構成されるとともに、上記の各部が接続され、その各部は所定の手順により制御されるようになっている。また、制御部３１は、ネットワークを介して図１に示す管理サーバ４と双方向通信を行うための通信部３８と、各部に所定の電圧を供給する電源部３９とを含んでいる。
【００２５】
缶繰り出し部３２は、図４に示すように、収納ラック３２１内に収納される検査キット缶９を１つずつ缶取り出し口２７に排出するものである。このため、缶繰り出し部３２は、検査キット缶９を収納する収納ラック３２１と、収納ラック３２１の排出口から検査キット缶９を１つずつ取り出すためのストッパ３２２ａ，３２２ｂと、その取り出した検査キット缶９を缶取り出し部３２４まで案内する傾斜板３２３と、を備えている。
【００２６】
ここで、傾斜板３２３や缶取り出し部３２４は、検査キット缶９の他に飲用水缶も共通に使用するようになっている。
陳列照明部３３は、陳列部２２に陳列される検査キット缶９などの照明を行うものであり、例えば、夜間にその照明を行うようになっている。
コイン処理部３４は、コイン投入口２４から投入されるコインの金額の算出などの処理を行うものであり、その算出された投入金額を制御部３１に通知するようになっている。紙幣処理部３５は、紙幣投入口２３から投入される紙幣の金額の算出などの処理を行うものであり、その算出された投入金額を制御部３１に通知するようになっている。
【００２７】
操作部３６は、その陳列部２２に陳列される飲料用缶または検査キット缶９を購入するために必要な複数の操作ボタンからなり、その各操作ボタンはその各缶ごとに陳列部２２に配置されている。そして、その操作ボタンをユーザが操作すると、その旨が制御部３１に通知され、その操作した操作ボタンに対応する缶が缶取り出し口２７に排出されるようになっている。
冷却コンプレッサ３７は、検査キット缶自動販売機１内に収納される飲料用缶や検査キット缶９を所定温度に冷やして維持するためのものであり、制御部３１によりその温度制御が行われるようになっている。
【００２８】
（検査キット缶の構成例）
図５は、検査キット缶自動販売機１から販売される検査キット缶９の構成例を示す斜視図である。
この検査キット缶９は、図５に示すように、その外観構成が従来の飲料用缶と類似であり、その内容物として検査キット９３と重量調整用の錘９４とがそれぞれ収納され、その上部側の開口部がタブ９２の付いた蓋９１により塞がれている。
また、この検査キット缶９は、タブ９２を利用することにより、ユーザが蓋９１を開けて内容物である検査キット９３を容易に取り出すことができるようになっている。さらに、検査キット缶９の本体の表面側にはラベル９５が貼り付けてあり、そのラベル９５には図示のように運営者のメールアドレスや取引番号などが表示されている。
【００２９】
検査キット９３は、紙などからできた収納箱に収納され、その収納箱の表面に取引番号などが表示されている。また、検査キット９３は、例えば採血キット、採尿キット、および採便キットなどからなり、その各キットの他に検査キットの使用説明書、郵送用封筒、申し込み書（ユーザのメールアドレス、取引番号、検査項目などを記入するようになっている）などを含んでいる。
【００３０】
採血キットは、採血用針、この採血用針で採血した血液を入れる血液収納容器、および消毒用布などからなる。採尿キットは、採尿した尿を入れる尿収納容器などからなる。採便キットは、大便を採取する用具、この用具で採取した大便を入れる大便収納容器などからなる。
そして、この検査キット９３では、上記のように採取した血液、尿、および大便の各サンプルを収納した血液収納容器、尿収納容器、および大便収納容器を、郵便用封筒を利用して検査会社２に郵送できるようになっている。
【００３１】
検査キット缶９に収納される重量調整用の錘９４は、検査キット缶９の販売時の全体の重量を、同じ自動販売機で販売される飲料用缶の販売時の全体の重量と同一またはほぼ同一にして、販売時における自重による落下や滑降の際の詰まりを防止するためのものである（図４参照）。このようにすると、検査キット缶９と飲料用缶の缶繰り出し部などの構成を共通にすることができる。
ここで、上記の錘９４は、図５の例では１つの塊とし、これを検査キット缶９の底部側に収納するようにした。しかし、錘９４を２以上に分割し、その分割したものを検査キット缶９内の適宜位置にそれぞれ分散して固定配置するようにしても良い。
【００３２】
（健康検査システムの運営例の詳細）
次に、このような構成からなる健康検査システムの運営例の詳細について、図１および図６などを参照して説明する。
検査キット缶自動販売機１は、ユーザにより検査キット缶９が選択されると（ステップＳ１）、料金表示を行い（ステップＳ２）、ユーザがその表示料金を投入したか否かを判定する（ステップＳ３）。そして、料金が投入されたことが確認されると、検査キット缶自動販売機１は、ユーザが選択した検査キット缶９を缶取り出し口２７に排出する（ステップＳ４）。
【００３３】
このように検査キット缶９が販売されると、検査キット缶自動販売機１は、随時または必要に応じて、その販売された検査キット缶９の種類、販売個数、販売金額などの販売データを管理サーバ４に送信する（ステップＳ５）。管理サーバ４は、その送信された販売データを受信して所定の処理を行うともに（ステップＳ６）、売り上げデータを運営サーバ３ａに送信する（ステップＳ７）。
【００３４】
運営サーバ３ａは、その送信された売り上げデータを受信して所定の処理を行うとともに（ステップＳ８）、その売り上げデータに基づき、随時または必要に応じて検査キット缶９を検査キット缶自動販売機１に補充する依頼を、管理サーバ４に対して送信する（ステップＳ９）。
管理サーバ４は、その補充依頼を受信すると（ステップＳ１０）、管理サーバ４の指示に基づき、検査キット缶メーカ１２は、検査キット缶自動販売機１に検査キット缶９を補充したり、使用料金の回収を行う。
【００３５】
上記のように、検査キット缶自動販売機１で販売された検査キット缶９は、ユーザが取得する（ステップＳ１１）。この取得した検査キット缶９は、そのラベル９５などに運営者のメールアドレスや取引番号が表示されている。
そこで、ユーザは、携帯電話１１などを使用してデータセンター３に健康検査の申し込みを行う。この申し込みは、携帯電話１１でデータセンター３の運営サーバ３ａにその取引番号を送信することにより行う（ステップＳ１２）。このときに携帯電話１１で送信するメールの表示内容の一例を示すと、図７に示すようになる。また、このときには、ユーザは、ユーザ（申し込み人）を識別するための識別情報として、メールアドレスまたはニックネームなどを送信する。
【００３６】
その送信された取引番号とメールアドレスは、運営サーバ３ａで受信されてデータベース３ｂに登録される（ステップＳ１３）。それが登録された時点で、運用サーバ３ａは、ユーザの携帯電話１１に対して、閲覧用パスワードおよび料金領収データを送信する（ステップＳ１４）。
携帯電話１１は、その送信されたデータを受信し（ステップＳ１５）、その受信内容を表示画面に表示する。このときの表示画面の一例を示すと、図８に示すようになる。これにより、ユーザは閲覧用パスワードおよび料金領収データを取得する。
【００３７】
その後、ユーザは、自宅１０において検査キット缶９の内容物である検査キット９３を使用して血液、尿、大便などを採取し、その採取した各サンプルを所定の各容器に収納させる。そして、ユーザは、図１に示すように、その各容器を所定の郵便封筒に入れて検査センター２に郵便物１３として郵送する（ステップＳ１６）。
その郵便物１３を受け取った検査センター２は、その郵便物１３を開封して各容器からサンプルをそれぞれ取り出し、ユーザが申し込んだ検査項目の各検査を行う（ステップＳ１７）。その検査により取得した検査データは、例えばその郵便物１３の申し込み用紙に記入されていたユーザのメールアドレスに関連付けて検査サーバ２ａのデータベース２ｂに登録する（ステップＳ１８）。
【００３８】
さらに、検査サーバ２ａは、検査データをユーザのメールアドレスとともに運営サーバ３ａに送信する。運営サーバ３ａは、その受信した検査データについて、すでに登録済みのメールアドレスを用いて検査データファイルを作成し、この作成した検査データファイルをデータベース３ｂに登録する（ステップＳ１９）。
その後、ユーザは、端末装置５または携帯電話１１を利用することにより、データセンター３から検査データを取得する。この場合には、端末装置５または携帯電話１１を用いて運営サーバ３ａに閲覧請求を行う（ステップＳ２０）。この閲覧請求には、自己のメールアドレスおよび取得済みの閲覧用パスワードが使用される。
【００３９】
そして、閲覧が可能な場合には、運営サーバ３ａは、データベース３ｂに登録される検査データをそのメールアドレスを用いて検索し、検索した検査データを端末装置５または携帯電話１１に送信する（ステップＳ２１）。このため、ユーザはその検査データを受信して閲覧することができ、必要であればプリントアウトすることができる。  
以上説明したように、この実施形態によれば、検査キット缶自動販売機１を適当な公共的な場所に設置しておけば、誰もがいつでも簡単に自分の手で、自分の健康診断に使用する検査キットが収納される検査キット缶９を入手できる。
【００４０】
また、この実施形態によれば、入手した検査キット缶に付されている取引番号を使用することにより、検査の申し込みを自己の携帯電話などで行えるので、医療機関で検診などを受ける前に他人に知られたくない予備的検診が行なえる。
また、この実施形態によれば、ユーザのメールアドレスやニックネームを使用して検査データと関連付けがされるので、ユーザのプライバシーが保護できる。
【００４１】
さらに、この実施形態によれば、検査データを携帯電話などを使用して閲覧できるので、その検査データを時間と場所に制約されることなく取得できる。
また、この実施形態では、検査キット缶自動販売機１が従来の飲料用缶自動販売機を活用できるので、従来のものを部分的に改良するだけでそのまま使用できる。また、飲料用缶自動販売機は、全国の至る所に配置されており、２４時間稼働している。このため、実施形態のような新しいビジネスを展開する場合に、設備投資などを最小限に抑えて比較的容易に展開できるという利点がある。
【００４２】
（その他）
上記の実施形態では、検査センター２に検査サーバ２ａを設け、データセンター３に運営サーバ３ａを設けるようにしたが、両センターを１カ所に統合し、両サーバを１つのサーバに統合して運用するようにしても良い。
【図面の簡単な説明】
【００４３】
【図１】本発明の健康検査システムの実施形態の構成を示す説明図である。
【図２】図１に示す検査キット缶自動販売機の外観構成を示す斜視図である。
【図３】その検査キット缶自動販売機の構成例を示すブロック図である。
【図４】缶繰り出し部の構成例を示す図である。
【図５】検査キット缶の外観構成を示す斜視図である。
【図６】実施形態の具体的な運営例を説明するフローチャートである。
【図７】携帯電話による検査申し込み時の送信画面の一例を示す図である。
【図８】その検査申し込み時の受信画面の一例を示す図である。
【符号の説明】
【００４４】
１  検査キット缶自動販売機
２  検査センター
２ａ  検査サーバ
３  データセンター
３ａ  運営サーバ
４  管理サーバ
５  端末装置
７  ネットワーク
９  検査キット缶
１１  携帯電話
９３  検査キット
９４  重量調整用の錘
【図１】
2008090466.tif 000003
【図２】
2008090466.tif 000004
【図３】
2008090466.tif 000005
【図４】
2008090466.tif 000006
【図５】
2008090466.tif 000007
【図６】
2008090466.tif 000008
【図７】
2008090466.tif 000009
【図８】
2008090466.tif 000010